(57)【要約】【課題】収納作業の効率を向上し得る収納容器を提供する。【解決手段】開口部１０ａおよび底部２を有して全体としてトレー状に構成された収納容器１であって、一対の収納容器１における各々の鍔部４ａ〜４ｄ同士を突合させた状態において被収納体を収納可能な箱状体を一対の収納容器１で形成可能に構成され、一対の収納容器１における各々の鍔部４ａ〜４ｄ同士を突合させた状態において互いに嵌合可能な第１嵌合部（凹凸部１１ａ〜１１ｄ）が鍔部４ａ〜４ｄに形成されると共に、一対の収納容器１における各々の底部２の外面同士を突合させた状態において互いに嵌合可能な第２嵌合部が底部２に形成され、第１嵌合部および第２嵌合部は、底部２の中心点Ｏを中心として点対称の形状に形成されている。【選択図】図１
2007062742.tif 000002
【特許請求の範囲】
【請求項１】
開口部および底部を有して全体としてトレー状に構成された収納容器であって、一対の当該収納容器における各々の前記開口部の縁部同士を突合させた状態において被収納体を収納可能な箱状体を当該一対の収納容器で形成可能に構成され、
一対の当該収納容器における各々の前記縁部同士を突合させた状態において互いに嵌合可能な第１嵌合部が当該縁部に形成されると共に、一対の当該収納容器における各々の前記底部の外面同士を突合させた状態において互いに嵌合可能な第２嵌合部が当該底部に形成され、
前記第１嵌合部および前記第２嵌合部は、前記底部の中央部を中心として点対称の形状に形成されている収納容器。
【請求項２】
開口部および底部を有して全体としてトレー状に構成された収納容器であって、一対の当該収納容器における各々の前記開口部の縁部同士を突合させた状態において被収納体を収納可能な箱状体を当該一対の収納容器で形成可能に構成され、
一対の当該収納容器における各々の前記縁部同士を突合させた状態において互いに嵌合可能な第１嵌合部が当該縁部に形成されると共に、一対の当該収納容器における各々の前記底部の外面同士を突合させた状態において互いに嵌合可能な第２嵌合部が当該底部に形成され、
前記第１嵌合部は、一対の当該収納容器における各々の当該第１嵌合部が互いに嵌合可能な位置から当該一対の収納容器の一方を他方に対して前記底部の中央部を中心として半回転させた位置においても当該各第１嵌合部が互いに嵌合可能に形成され、
前記第２嵌合部は、一対の当該収納容器における各々の当該第２嵌合部が互いに嵌合可能な位置から当該一対の収納容器の一方を他方に対して前記底部の中央部を中心として半回転させた位置においても当該各第２嵌合部が互いに嵌合可能に形成されている収納容器。
【請求項３】
開口部および底部がそれぞれ略矩形に形成されて全体としてトレー状に構成された収納容器であって、一対の当該収納容器における各々の前記開口部の縁部同士を突合させた状態において被収納体を収納可能な箱状体を当該一対の収納容器で形成可能に構成され、
一対の当該収納容器における各々の前記縁部同士を突合させた状態において互いに嵌合可能な第１嵌合部が当該縁部に形成されると共に、一対の当該収納容器における各々の前記底部の外面同士を突合させた状態において互いに嵌合可能な第２嵌合部が当該底部に形成され、
前記第１嵌合部は、４つの前記縁部のうちの互いに対向する一対の縁部にそれぞれ形成された第１凹凸部および第２凹凸部と、前記各縁部のうちの他の一対の縁部にそれぞれ形成された第３凹凸部および第４凹凸部とを備えて構成され、
前記第１凹凸部および前記第２凹凸部は、前記底部の中央部を中心として互いに点対称の形状で、かつ当該両凹凸部のいずれか一方と他の当該収納容器における当該両凹凸部のいずれか一方とが互いに嵌合可能な形状にそれぞれ形成され、
前記第３凹凸部および前記第４凹凸部は、前記底部の中央部を中心として互いに点対称の形状で、かつ当該両凹凸部のいずれか一方と他の当該収納容器における当該両凹凸部のいずれか一方とが互いに嵌合可能な形状にそれぞれ形成され、
前記第２嵌合部は、前記底部を平面視した状態における左上に位置する領域に形成された第５凹凸部と、右下に位置する領域に形成された第６凹凸部と、右上に位置する領域に形成された第７凹凸部と、左下に位置する領域に形成された第８凹凸部とを備えて構成され、
前記第５凹凸部および前記第６凹凸部は、前記底部の中央部を中心として互いに点対称の形状にそれぞれ形成され、
前記第７凹凸部および前記第８凹凸部は、前記底部の中央部を中心として互いに点対称の形状で、かつ当該各凹凸部が他の当該収納容器における前記第５凹凸部および前記第６凹凸部のいずれにも嵌合可能な形状にそれぞれ形成されている収納容器。
【請求項４】
前記縁部を湾曲させて立体的形状に形成した把手を備えている請求項１から３のいずれかに記載の収納容器。
【請求項５】
前記被収納体としての複数のテープカートリッジを互いに離間させた状態で収納させる仕切部を備えている請求項１から４のいずれかに記載の収納容器。
【発明の詳細な説明】
【技術分野】
【０００１】
本発明は、全体としてトレー状に構成されて、一対の収納容器における各々の開口部の縁部同士を突合させた状態において被収納体を収納可能な箱状体をその一対で形成可能に構成された収納容器に関するものである。
【背景技術】
【０００２】
テープカートリッジを収納する収納容器として、特開２００２−１０４５６８号公報に開示されたテープカートリッジ用の収納ケースが知られている。この収納ケースは、身部と蓋部とを一体形成して構成されて、ほぼ正方形状の１本のテープカートリッジを収納可能に構成されている。
【特許文献１】特開２００２−１０４５６８号公報（第３頁、第４図）
【発明の開示】
【発明が解決しようとする課題】
【０００３】
ところが、上記の収納ケースには、以下の問題点がある。すなわち、この収納ケースでは、テープカートリッジを１本しか収納できないため、例えば、多数のテープカートリッジをまとめて販売する際には、出荷時にテープカートリッジを収納ケースに１本ずつ収納して包装する必要があるため、無駄なコストが発生しているという問題点が存在する。また、複数のテープカートリッジを持ち運ぶ際には、各テープカートリッジをこの収納ケースにそれぞれ収納して、それらをさらに大形の収納箱等に収納する必要があり煩雑であるという問題点も存在する。このような問題点を解決するために、近年では、上記のような販売形態や使用形態において、複数のテープカートリッジを収納可能な収納容器が用いられている。この場合、この収納容器は、例えば、トレー状に形成されており、一対の収納容器における各々の開口部側を突合させて嵌合部を互いに嵌合させることで、複数のテープカートリッジを収納可能な箱状体を両収納容器で形成可能に構成されている。しかしながら、従来のこの種の収納容器では、嵌合部の形状が非対称であったり、嵌合部の配設位置が非対称であったりするため、予め決められた方向で両収納容器を突合させない限り、両収納容器の嵌合部を互いに嵌合させることができないのが一般的である。このため、両収納容器を突合させる際には、収納容器における左右や上下の向きを確認する必要があるため、収納作業の効率を向上させるのが困難であるという問題点が存在する。
【０００４】
本発明は、かかる問題点に鑑みてなされたものであり、収納作業の効率を向上し得る収納容器を提供することを主目的とする。
【課題を解決するための手段】
【０００５】
上記目的を達成すべく本発明に係る収納容器は、開口部および底部を有して全体としてトレー状に構成された収納容器であって、一対の当該収納容器における各々の前記開口部の縁部同士を突合させた状態において被収納体を収納可能な箱状体を当該一対の収納容器で形成可能に構成され、一対の当該収納容器における各々の前記縁部同士を突合させた状態において互いに嵌合可能な第１嵌合部が当該縁部に形成されると共に、一対の当該収納容器における各々の前記底部の外面同士を突合させた状態において互いに嵌合可能な第２嵌合部が当該底部に形成され、前記第１嵌合部および前記第２嵌合部は、前記底部の中央部を中心として点対称の形状に形成されている。
【０００６】
また、本発明に係る収納容器は、開口部および底部を有して全体としてトレー状に構成された収納容器であって、一対の当該収納容器における各々の前記開口部の縁部同士を突合させた状態において被収納体を収納可能な箱状体を当該一対の収納容器で形成可能に構成され、一対の当該収納容器における各々の前記縁部同士を突合させた状態において互いに嵌合可能な第１嵌合部が当該縁部に形成されると共に、一対の当該収納容器における各々の前記底部の外面同士を突合させた状態において互いに嵌合可能な第２嵌合部が当該底部に形成され、前記第１嵌合部は、一対の当該収納容器における各々の当該第１嵌合部が互いに嵌合可能な位置から当該一対の収納容器の一方を他方に対して前記底部の中央部を中心として半回転させた位置においても当該各第１嵌合部が互いに嵌合可能に形成され、前記第２嵌合部は、一対の当該収納容器における各々の当該第２嵌合部が互いに嵌合可能な位置から当該一対の収納容器の一方を他方に対して前記底部の中央部を中心として半回転させた位置においても当該各第２嵌合部が互いに嵌合可能に形成されている。
【０００７】
また、本発明に係る収納容器は、開口部および底部がそれぞれ略矩形に形成されて全体としてトレー状に構成された収納容器であって、一対の当該収納容器における各々の前記開口部の縁部同士を突合させた状態において被収納体を収納可能な箱状体を当該一対の収納容器で形成可能に構成され、一対の当該収納容器における各々の前記縁部同士を突合させた状態において互いに嵌合可能な第１嵌合部が当該縁部に形成されると共に、一対の当該収納容器における各々の前記底部の外面同士を突合させた状態において互いに嵌合可能な第２嵌合部が当該底部に形成され、前記第１嵌合部は、４つの前記縁部のうちの互いに対向する一対の縁部にそれぞれ形成された第１凹凸部および第２凹凸部と、前記各縁部のうちの他の一対の縁部にそれぞれ形成された第３凹凸部および第４凹凸部とを備えて構成され、前記第１凹凸部および前記第２凹凸部は、前記底部の中央部を中心として互いに点対称の形状で、かつ当該両凹凸部のいずれか一方と他の当該収納容器における当該両凹凸部のいずれか一方とが互いに嵌合可能な形状にそれぞれ形成され、前記第３凹凸部および前記第４凹凸部は、前記底部の中央部を中心として互いに点対称の形状で、かつ当該両凹凸部のいずれか一方と他の当該収納容器における当該両凹凸部のいずれか一方とが互いに嵌合可能な形状にそれぞれ形成され、前記第２嵌合部は、前記底部を平面視した状態における左上に位置する領域に形成された第５凹凸部と、右下に位置する領域に形成された第６凹凸部と、右上に位置する領域に形成された第７凹凸部と、左下に位置する領域に形成された第８凹凸部とを備えて構成され、前記第５凹凸部および前記第６凹凸部は、前記底部の中央部を中心として互いに点対称の形状にそれぞれ形成され、前記第７凹凸部および前記第８凹凸部は、前記底部の中央部を中心として互いに点対称の形状で、かつ当該各凹凸部が他の当該収納容器における前記第５凹凸部および前記第６凹凸部のいずれにも嵌合可能な形状にそれぞれ形成されている。
【０００８】
この場合、前記縁部を湾曲させて立体的形状に形成した把手を備えた構成を採用することもできる。
【０００９】
また、前記被収納体としての複数のテープカートリッジを互いに離間させた状態で収納させる仕切部を備えた構成を採用することもできる。
【発明の効果】
【００１０】
本発明に係る収納容器によれば、一対の収納容器における各々の縁部同士を突合させた状態において互いに嵌合可能な第１嵌合部を底部の中央部を中心として点対称の形状に形成したことにより、一対の収納容器における各々の第１嵌合部同士が嵌合可能な位置から一方の収納容器を他方の収納容器に対して底部の中央部を中心として半回転させた位置においても各第１嵌合部同士を確実に嵌合させることができる。したがって、収納容器を他方の収納容器に覆い被せて連結させる際に、収納容器における左右や上下の向きを確認する作業を不要とすることができるため、連結作業の効率を十分に向上させることができる。また、一対の収納容器における各々の底部の外面同士を突合させた状態において互いに嵌合可能な第２嵌合部を底部の中央部を中心として点対称の形状に形成したことにより、一対の収納容器における各々の第２嵌合部同士が嵌合可能な位置から一方の収納容器を他方の収納容器に対して底部の中央部を中心として半回転させた位置においても各第２嵌合部同士を確実に嵌合させることができる。したがって、収納容器を他の収納容器における底部の上に積み重ねる際に、収納容器における左右や上下の向きを確認する作業を不要とすることができるため、積み重ね作業の効率を十分に向上させることができる。
【００１１】
また、本発明に係る収納容器によれば、一対の収納容器における各々の第１嵌合部が嵌合可能な位置から一方の収納容器を他方の収納容器に対して底部の中央部を中心として半回転させた位置においても各第１嵌合部が互いに嵌合可能に第１嵌合部を形成したことにより、収納容器を他の収納容器に覆い被せて連結させる際に、底部の中央部を中心として半回転させる前および半回転させた後のいずれの位置においても各第１嵌合部同士を確実に嵌合させることができるため、収納容器における左右や上下の向きを確認する作業を不要とすることができる結果、連結作業の効率を十分に向上させることができる。また、一対の収納容器における各々の第２嵌合部が嵌合可能な位置から一方の収納容器を他方の収納容器に対して底部の中央部を中心として半回転させた位置においても各第２嵌合部が互いに嵌合可能に第２嵌合部を形成したことにより、収納容器を他の収納容器における底部の上に積み重ねる際に、底部の中央部を中心として半回転させる前および半回転させた後のいずれの位置においても各第２嵌合部同士を確実に嵌合させることができるため、収納容器における左右や上下の向きを確認する作業を不要とすることができる結果、積み重ね作業の効率を十分に向上させることができる。
【００１２】
また、本発明に係る収納容器によれば、第１凹凸部、第２凹凸部、第３凹凸部および第４凹凸部を備えて第１嵌合部を構成し、底部の中央部を中心として互いに点対称の形状でかつ互いに嵌合可能な形状に第１凹凸部および第２凹凸部を形成すると共に、中央部を中心として互いに点対称の形状でかつ互いに嵌合可能な形状に第３凹凸部および第４凹凸部を形成したことにより、一対の収納容器における各々の凹凸部同士が嵌合可能な位置から一方の収納容器を他方の収納容器に対して底部の中央部を中心として半回転させた位置においても各凹凸部同士を確実に嵌合させることができる。したがって、収納容器を他方の収納容器に覆い被せて連結させる際に、収納容器における左右や上下の向きを確認する作業を不要とすることができるため、連結作業の効率を十分に向上させることができる。また、第５凹凸部、第６凹凸部、第７凹凸部および第８凹凸部とを備えて第２嵌合部を構成し、底部の中央部を中心として互いに点対称の形状に第５凹凸部および第６凹凸部を形成すると共に、底部の中央部を中心として互いに点対称の形状でかつ第７凹凸部および第８凹凸部が他の収納容器における第５凹凸部および第６凹凸部のいずれにも嵌合可能な形状に第７凹凸部および第８凹凸部を形成したことにより、一対の収納容器における各々の凹凸部同士が嵌合可能な位置から一方の収納容器を他方の収納容器に対して底部の中央部を中心として半回転させた位置においても各凹凸部同士を確実に嵌合させることができる。したがって、収納容器を他の収納容器における底部の上に積み重ねる際に、収納容器における左右や上下の向きを確認する作業を不要とすることができるため、積み重ね作業の効率を十分に向上させることができる。
【００１３】
さらに、本発明に係る収納容器によれば、開口部の縁部を湾曲させて立体的形状に形成した把手を備えたことにより、例えば、縁部に孔を形成して構成した把手とは異なり、把手におけるバリ等の発生を少なく抑えることができるため、把手を掴んだ際にバリ等で傷を負う事態を確実に防止することができる。
【００１４】
また、本発明に係る収納容器によれば、複数のテープカートリッジを互いに離間させた状態で収納させる仕切部を備えたことにより、例えば、テープカートリッジを収納した収納容器を搬送する際に収納容器が振動したとしても、収納された各テープカートリッジ同士の摺動によってテープカートリッジが傷付けられる事態を確実に防止することができる。また、仕切部によって仕切られた収納スペースにテープカートリッジを収納することで、テープカートリッジを全ての収納スペースには収納しなかったとしても、つまり収納スペースに空きがあったとしても、テープカートリッジのがたつきを確実に防止することができる。
【発明を実施するための最良の形態】
【００１５】
以下、本発明に係る収納容器の最良の形態について、添付図面を参照して説明する。
【００１６】
最初に、収納容器１の構成について、図面を参照して説明する。
【００１７】
図１，２に示す収納容器１は、本発明に係る収納容器の一例であって、略矩形に形成された底部２と、底部２の縁部にそれぞれ立設された４つの壁部３ａ，３ｂ，３ｃ，３ｄ（以下、区別しないときには「壁部３」ともいう）とを備えて、略矩形の開口部１０ａを有する全体としてトレー状に構成されている。この場合、収納容器１は、一例として、ＰＥＴ（ポリエチレンテレフタレート）を用いて射出成形によって製造される。また、収納容器１は、図７に示すように、一対の収納容器１，１における各々の開口部１０ａの縁部（後述する鍔部４ａ，４ｂ，４ｃ，４ｄ）同士を突合させた状態において、本発明における被収納体としてのテープカートリッジ２００（図５も参照）を収納可能な収納箱（本発明における箱状体）１００をその一対の収納容器１，１で形成可能に構成されている。この場合、テープカートリッジ２００は、一例として、単一のテープリールを有する１リールタイプのテープカートリッジであって、平面視がほぼ正方形に形成されている。
【００１８】
また、収納容器１は、図１，２に示すように、開口部１０ａを取り囲むように形成された４つの鍔部４ａ，４ｂ，４ｃ，４ｄ（本発明における縁部に相当し、以下、これらを区別しないときには「鍔部４」ともいう）を備えて構成されている。この場合、鍔部４ａ，４ｂ（本発明における互いに対向する一対の縁部）には、凹凸部１１ａ，１１ｂがそれぞれ形成されている。また、鍔部４ｃ，４ｄ（本発明における他の一対の縁部）には、凹凸部１１ｃ，１１ｄがそれぞれ形成されると共に、鍔部４ｃ，４ｄの一部分を底部２側に湾曲させることによって立体的形状に形成した把手５，５がそれぞれ形成されている。なお、凹凸部１１ａ，１１ｂ，１１ｃ，１１ｄ（以下、区別しないときには「凹凸部１１」ともいう）によって本発明における第１嵌合部が構成される。
【００１９】
ここで、凹凸部１１ａ，１１ｂは、本発明における第１凹凸部および第２凹凸にそれぞれ相当し、図１に示すように、一例として、平面視矩形の３つの凹部２１と、凹部２１に嵌合可能な円柱状の３つの凸部２２とを備えてそれぞれ構成されている。この場合、凹凸部１１ａ，１１ｂにおける各凹部２１および各凸部２２は、同図に示すように、底部２の中心点Ｏ（本発明における中央部）を中心として互いに点対称となるように配置されると共に、図７に示すように、一対の収納容器１，１における各々の鍔部４同士を突合させた状態において、一方の収納容器１における各凹部２１（または各凸部２２）と他方の収納容器１における各凸部２２（または各凹部２１）とがそれぞれ嵌合するように配置されている。つまり、凹凸部１１ａ，１１ｂは、中心点Ｏを中心として互いに点対称の形状で、かつ凹凸部１１ａ，１１ｂのいずれか一方と他の収納容器１における凹凸部１１ａ，１１ｂのいずれか一方とが互いに嵌合可能な形状にそれぞれ形成されている。
【００２０】
また、凹凸部１１ｃ，１１ｄは、本発明における第３凹凸部および第４凹凸にそれぞれ相当し、図１に示すように、一例として、２つの凹部２１と、２つの凸部２２とを備えてそれぞれ構成されている。この場合、凹凸部１１ｃ，１１ｄにおける各凹部２１および各凸部２２は、同図に示すように、底部２の中心点Ｏを中心として互いに点対称となるように配置されると共に、一対の収納容器１，１における各々の鍔部４同士を突合させた状態において、一方の収納容器１における各凹部２１（または各凸部２２）と他方の収納容器１における各凸部２２（または各凹部２１）とがそれぞれ嵌合するように配置されている。つまり、凹凸部１１ｃ，１１ｄは、中心点Ｏを中心として互いに点対称の形状で、かつ凹凸部１１ｃ，１１ｄのいずれか一方と他の収納容器１における凹凸部１１ｃ，１１ｄのいずれか一方とが互いに嵌合可能な形状にそれぞれ形成されている。
【００２１】
また、図３，４に示すように、外面２ａ側から平面視した状態の底部２における左上、右下、右上および左下にそれぞれ位置する各領域には、凹凸部１２ａ，１２ｂ，１２ｃ，１２ｄ（以下、区別しないときには「凹凸部１２」ともいう）がそれぞれ形成されている。なお、凹凸部１２ａ，１２ｂ，１２ｃ，１２ｄによって本発明における第２嵌合部が構成される。凹凸部１２ａ，１２ｂは、本発明における第５凹凸部および第６凹凸にそれぞれ相当し、両図に示すように、一例として、その平面視が略矩形で底部２の外面２ａ側に突出する凸部３１を備えて構成されている。この場合、凹凸部１２ａ，１２ｂは、図４に示すように、底部２の中心点Ｏを中心として互いに点対称の形状にそれぞれ形成されている。凹凸部１２ｃ，１２ｄは、本発明における第７凹凸部および第８凹凸にそれぞれ相当し、図３に示すように、一例として、その平面視が略矩形の枠状で底部２の外面２ａ側に突出する凸部３２を備えて構成されている。この場合、凹凸部１２ｃ，１２ｄは、図４に示すように、底部２の中心点Ｏを中心として互いに点対称となる形状で、かつ、図８に示すように、一対の収納容器１，１における各々の底部２の外面２ａ同士を突合させたときに、一方の収納容器１における凹凸部１２ｃ，１２ｄが他方の収納容器１における凹凸部１２ａ，１２ｂのいずれにも嵌合可能な形状にそれぞれ形成されている。
【００２２】
また、図１，２に示すように、底部２の内面２ｂには、リブ６が形成され、このリブ６には、２２個の仕切部７ａ，７ａ・・が形成されている。また、図２に示すように、底部２の内面２ｂには、２２個の仕切部７ｂ，７ｂ・・が形成されている。さらに、壁部３ａ，３ｂには、それぞれ１１個の仕切部７ｃ，７ｃ・・が形成されている。この場合、各仕切部７ａ，７ｂ，７ｃは、図６に示すように、複数（この場合２０個）のテープカートリッジ２００を互いに離間させた状態で収納させる機能を有している。
【００２３】
次に、収納容器１の使用方法について、図面を参照して説明する。
【００２４】
まず、図１，２，５に示すように、開口部１０ａを上向きにして収納容器１を載置する（以下、この収納容器１を「収納容器１Ａ」ともいう）。次いで、図２，５に示すように、例えば、収納容器１Ａにおける仕切部７ａ，７ｂ，７ｃによって仕切られた左下隅の収納スペース２０にテープカートリッジ２００を収納する。続いて、仕切部７ａ，７ｂ，７ｃによって仕切られた各収納スペース２０，２０・・（図６参照）にテープカートリッジ２００を順次収納する。
【００２５】
次に、図６に示すように、全て（この場合２０個）の収納スペース２０にテープカートリッジ２００をそれぞれ収納した収納容器１Ａに対して、図７に示すように、他の収納容器１（以下、この収納容器１を「収納容器１Ｂ」ともいう）を開口部１０ａを下向きにした状態で覆い被せる。この際に、両収納容器１Ａの各鍔部４と、収納容器１Ｂの各鍔部４とを突合させて、両収納容器１Ａ，１Ｂにおける各々の凹凸部１１同士を嵌合させる。これにより、両収納容器１Ａ，１Ｂが各凹凸部１１を介して連結されて、両収納容器１Ａ，１Ｂによって収納箱１００（以下、この収納箱１００を「収納箱１００Ａ」ともいう）が構成される。この場合、仕切部７ａ，７ｂ，７ｃによって各テープカートリッジ２００が離間させられた状態で収納されているため、例えば、収納箱１００を搬送する際に収納箱１００が振動したとしても、収納箱１００内の各テープカートリッジ２００同士の摺動によってテープカートリッジ２００が傷付けられる事態が確実に防止される。また、仕切部７ａ，７ｂ，７ｃによって仕切られた収納スペース２０にテープカートリッジ２００を収納するため、テープカートリッジ２００を全ての収納スペース２０には収納しなかったとしても、つまり収納スペース２０に空きがあったとしても、テープカートリッジ２００のがたつきが確実に防止される。
【００２６】
また、この収納容器１では、凹凸部１１ａ，１１ｂが、底部２の中心点Ｏを中心として互いに点対称の形状で、かつ凹凸部１１ａ，１１ｂのいずれか一方と他の収納容器１における凹凸部１１ａ，１１ｂのいずれか一方とが互いに嵌合可能な形状にそれぞれ形成されている。さらに、凹凸部１１ｃ，１１ｄが、中心点Ｏを中心として互いに点対称の形状で、かつ凹凸部１１ｃ，１１ｄのいずれか一方と他の収納容器１における凹凸部１１ｃ，１１ｄのいずれか一方とが互いに嵌合可能な形状にそれぞれ形成されている。このため、各凹凸部１１は、両収納容器１Ａ，１Ｂにおける各々の凹凸部１１同士が嵌合可能な位置から収納容器１Ｂを収納容器１Ａに対して中心点Ｏを中心として半回転させた位置においても嵌合可能となっている。したがって、収納容器１Ｂを収納容器１Ａに連結する（覆い被せる）際に、収納容器１Ｂにおける左右や上下の向きを確認する作業が不要な結果、その分、連結作業の効率を向上させることが可能となっている。
【００２７】
次いで、上記と同様にして、新たな収納容器１（以下、この収納容器１を「収納容器１Ｃ」ともいう）にテープカートリッジ２００を収納し、その収納容器１Ｃに他の新たな収納容器１（以下、この収納容器１を「収納容器１Ｄ」ともいう）を覆い被せて両収納容器１Ｃ，１Ｄを各々の凹凸部１１を介して連結させる。これにより、テープカートリッジ２００が収納された２つめの収納箱１００（以下、この収納箱１００を「収納箱１００Ｂ」ともいう）が構成される。続いて、収納箱１００Ｂにおける両収納容器１Ｃ，１Ｄの把手５を掴んで、図８に示すように、収納箱１００Ａの上に収納箱１００Ｂを積み重ねる。この場合、収納箱１００Ａを構成する収納容器１Ｂにおける底部２の外面２ａと、収納箱１００Ｂを構成する収納容器１Ｃにおける底部２の外面２ａとを突合させて両収納容器１Ｂ，１Ｃにおける各々の凹凸部１２同士を嵌合させる。これにより、収納箱１００Ａ，１００Ｂ同士が各凹凸部１２を介して連結されて両者のずれが防止される。この場合、収納容器１Ｂ，１Ｃの把手５は、鍔部４ｃ，４ｄの一部分を湾曲させることによって立体的形状に形成されている。このため、例えば、鍔部４ｃ，４ｄに孔を形成して構成した把手とは異なり、把手５におけるバリ等の発生が少なく抑えられている。したがって、この収納容器１では、把手５を掴んだ際にそのようなバリ等で傷を負う事態が確実に防止される。
【００２８】
また、この収納容器１では、凹凸部１２ａ，１２ｂが、底部２の中心点Ｏを中心として互いに点対称の形状にそれぞれ形成されている。さらに、凹凸部１２ｃ，１２ｄが、中心点Ｏを中心として互いに点対称の形状で、かつ凹凸部１２ｃ，１２ｄが他の収納容器１における凹凸部１２ａ，１２ｂのいずれにも嵌合可能な形状にそれぞれ形成されている。このため、各凹凸部１２は、両収納容器１Ｂ，１Ｃにおける各々の凹凸部１２同士が嵌合可能な位置から収納容器１Ｃを収納容器１Ｂに対して中心点Ｏを中心として半回転させた位置においても嵌合可能となっている。したがって、収納箱１００Ｂを収納箱１００Ａの上に積み重ねる際に、収納容器１Ｃにおける左右や上下の向きを確認する作業が不要な結果、その分、積み重ね作業の効率を向上させることが可能となっている。
【００２９】
以下、上記の作業を繰り替えして収納容器１（収納箱１００）にテープカートリッジ２００を収納する。
【００３０】
このように、この収納容器１によれば、底部２の中心点Ｏを中心として互いに点対称の形状でかつ互いに嵌合可能な形状に凹凸部１１ａ，１１ｂを形成すると共に、中心点Ｏを中心として互いに点対称の形状でかつ互いに嵌合可能な形状に凹凸部１１ｃ，１１ｄを形成したことにより、一対の収納容器１，１における各々の凹凸部１１同士が嵌合可能な位置から一方の収納容器１を他方の収納容器１に対して中心点Ｏを中心として半回転させた位置においても各凹凸部１１同士を確実に嵌合させることができる。したがって、収納容器１を他方の収納容器１に覆い被せて連結させる際に、その収納容器１における左右や上下の向きを確認する作業を不要とすることができるため、連結作業の効率を十分に向上させることができる。
【００３１】
また、中心点Ｏを中心として互いに点対称の形状に凹凸部１２ａ，１２ｂを形成すると共に、中心点Ｏを中心として互いに点対称の形状でかつ他の収納容器１における凹凸部１２ａ，１２ｂのいずれにも嵌合可能な形状に凹凸部１２ｃ，１２ｄを形成したことにより、一対の収納容器１，１における各々の凹凸部１２同士が嵌合可能な位置から一方の収納容器１を他方の収納容器１に対して中心点Ｏを中心として半回転させた位置においても各凹凸部１２同士を確実に嵌合させることができる。したがって、収納容器１（収納箱１００）を他の収納容器１（他の収納箱１００）の上に積み重ねる際に、その収納容器１における左右や上下の向きを確認する作業を不要とすることができるため、積み重ね作業の効率を十分に向上させることができる。
【００３２】
また、この収納容器１によれば、鍔部４ｃ，４ｄの一部分を湾曲させることによって立体的形状に形成した把手５，５を備えたことにより、例えば、鍔部４ｃ，４ｄに孔を形成して構成した把手とは異なり、把手５におけるバリ等の発生を少なく抑えることができるため、把手５を掴んだ際にバリ等で傷を負う事態を確実に防止することができる。
【００３３】
また、この収納容器１によれば、複数のテープカートリッジ２００を互いに離間させた状態で収納させる仕切部７ａ，７ｂ，７ｃを備えたことにより、例えば、テープカートリッジ２００を収納した収納容器１（収納箱１００）を搬送する際に収納容器１が振動したとしても、収納された各テープカートリッジ２００同士の摺動によってテープカートリッジ２００が傷付けられる事態を確実に防止することができる。また、仕切部７ａ，７ｂ，７ｃによって仕切られた収納スペース２０にテープカートリッジ２００を収納することで、テープカートリッジ２００を全ての収納スペース２０には収納しなかったとしても、つまり収納スペース２０に空きがあったとしても、テープカートリッジ２００のがたつきを確実に防止することができる。
【００３４】
なお、本発明は、上記した構成に限定されない。例えば、平面視矩形の２個または３個の凹部２１と、円柱状の２個または３個の凸部２２とを備えて各凹凸部１１を構成した例について上記したが、凹部２１および凸部２２の形状や数はこれに限定されず、任意に規定することができる。また、平面視が略矩形の凸部３１で凹凸部１２ａ，１２ｂを構成し、平面視が略矩形の枠状の凸部３２で凹凸部１２ｃ，１２ｄを構成した例について上記したが、凸部３１や凸部３２の形状はこれに限定されず、任意に規定することができる。さらに、２０個のテープカートリッジ２００を収納可能な収納容器１（収納箱１００）を例に挙げて説明したが、テープカートリッジ２００の収納可能数は、２０個に限定されず任意に規定することができる。また、テープカートリッジ２００に限定されず、テープカートリッジ２００以外のテープカートリッジや各種の記録媒体、および各種の小物類等を収納するための収納容器１に本発明を適用できるのは勿論である。
【００３５】
また、各鍔部４ａ，４ｂ，４ｃ，４ｄに形成した凹凸部１１ａ，１１ｂ，１１ｃ，１１ｄで本発明における第１嵌合部を構成し、底部２における４つの領域にそれぞれ形成した凹凸部１２ａ，１２ｂ，１２ｃ，１２ｄで本発明における第２嵌合部を構成した例について上記したが、第１嵌合部および第２嵌合部の構成は、これに限定されない。例えば、一対の収納容器１，１における各々の第１嵌合部が嵌合可能な位置から両収納容器１，１の一方を他方に対して中心点Ｏを中心として半回転させた位置においても両収納容器１，１における各々の第１嵌合部が互いに嵌合し、一対の収納容器１，１における各々の第２嵌合部が嵌合可能な位置から両収納容器１，１の一方を他方に対して中心点Ｏを中心として半回転させた位置においても両収納容器１，１における各々の第２嵌合部が互いに嵌合する限り、つまり、第１嵌合部および第２嵌合部が中心点Ｏを中心として点対称の形状である限り、第１嵌合部および第２嵌合部を任意の形状に形成することができる。この場合、開口部１０ａおよび底部２の形状は、必ずしも矩形や略矩形である必要はなく、任意の形状に形成することができる。
【図面の簡単な説明】
【００３６】
【図１】収納容器１を開口部１０ａ側から見た斜視図である。
【図２】収納容器１を開口部１０ａ側から見た平面図である。
【図３】収納容器１を底部２の外面２ａ側から見た斜視図である。
【図４】収納容器１を底部２の外面２ａ側から見た平面図である。
【図５】図２におけるＡ−Ａ線断面図である。
【図６】収納容器１にテープカートリッジ２００を収納した状態の平面図である。
【図７】収納箱１００の断面図である。
【図８】収納箱１００Ａの上に他の収納箱１００Ｂを載置した状態の断面図である。
【符号の説明】
【００３７】
１，１Ａ，１Ｂ，１Ｃ，１Ｄ  収納容器
２  底部
２ａ  外面
４，４ａ，４ｂ，４ｃ，４ｄ  鍔部
１０ａ  開口部
１１ａ〜１１ｄ，１２ａ〜１２ｄ  凹凸部
１００，１００Ａ，１００Ｂ  収納箱
２００  テープカートリッジ
Ｏ  中心点
【図１】
2007062742.tif 000003
【図２】
2007062742.tif 000004
【図３】
2007062742.tif 000005
【図４】
2007062742.tif 000006
【図５】
2007062742.tif 000007
【図６】
2007062742.tif 000008
【図７】
2007062742.tif 000009
【図８】
2007062742.tif 000010